(57)【特許請求の範囲】
【請求項１】
沿道コンクリート構造物の外側地面に防水不織布マットを敷設し、上記マットは長繊維による厚さ２０〜５０ｍｍ又はそれ以上に厚い多孔質不織布で、表面に耐熱性合成樹脂を塗布し、かつ内部にも浸透させて防水性及び耐熱性が附与されてなり、該マットの下面及び側面に沿う段状切欠部を上記構造物の外側面及び上面に接着剤を介し又はビスで面接固定し、上記マットの上面から上記外側地面にアンカーを打設することを特徴とする沿道被覆工。
【請求項２】
沿道コンクリート構造物がアスファルト又はセメントコンクリート舗装縁、側溝ブロック又は縁石ブロックによって構成され、外側地面がほぼ水平面又は勾配面である請求項１記載の沿道被覆工。
【請求項３】
上記防水不織布マットが上面にシート状不織布を張着し、シート状不織布に耐水性及び耐熱性合成樹脂を塗着して防水加工を施してなる請求項１又は２記載の沿道被覆マット。
【発明の詳細な説明】
【０００１】
【発明の属する技術分野】
本発明は高速道路等の沿道地面の防草被覆工に関するものである。
【０００２】
【従来の技術】
従来、山間部に設けられた長距離高速舗装道路は道路沿いの地面と道路の外側地面又は地盤にポリエステル等の合成繊維製不織布による薄い防草シートを貼着し、その上にコンクリート製の敷石ブロックを上記シート上に敷設した（例えば特許文献１）。
【０００３】
しかし上記の防草施工方法では不織布シートが水分を吸収し、かつコンクリート製敷石ブロックを敷詰める必要があって材料及び労力を要し、かつ上記シートの吸収水分による敷石ブロック目地部や側溝と敷石ブロックとの境界に沿って雑草が生え易く、除草に多大の労力を要した（例えば特許文献１）。
【０００４】
【特許文献１】
特許第３１３２９４３号公報（図２、Ｕ字側溝と防草シートとの境界部、明細書２頁８行目〜１３行目に防水性、耐火、耐熱性の記載がない。）
【０００５】
【発明が解決しようとする課題】
本発明は高速道路、国道、県道、一般市町村道又は林道の構築時又は構築後等に丘や山を切り取った切土法面及び盛土法面の一部分の一定の高さ（２ｍ〜３ｍ）の道路の両サイド法面・道下法面及び歩道、中央分離帯等の道路面の景観を損ね、道巾を狭くし、圧迫感を与え人間の視野を妨げ事故や犯罪の原因となる雑草を迅速簡便かつ安価に樹脂マット（ＭＦマット）で防止することを目的とする。
【０００６】
【課題を解決するための手段】
上記の目的を達成するため本発明は
第１に沿道コンクリート構造物の外側地面に防水不織布マットを敷設し、上記マットは長繊維による厚さ２０〜５０ｍｍ又はそれ以上に厚い多孔質不織布で、表面に耐熱性合成樹脂を塗布し、かつ内部にも浸透させて防水性及び耐熱性が附与されてなり、該マットの下面及び側面に沿う段状切欠部を上記構造物の外側面及び上面に接着剤を介し又はビスで面接固定し、上記マットの上面から上記外側地面にアンカーを打設することを特徴とする沿道被覆工、
第２に沿道コンクリート構造物がアスファルト又はセメントコンクリート舗装縁、側溝ブロック又は縁石ブロックによって構成され、外側地面がほぼ水平面又は勾配面である上記第１発明記載の沿道被覆工、
第３に上記防水不織布マットが上面にシート状不織布を張着し、シート状不織布に耐水性及び耐熱性合成樹脂を塗着して防水加工を施してなる上記第１又は第２発明記載の沿道被覆マット、
によって構成される。
【０００７】
【発明の実施の形態】
上記道路７はアスファルト舗装８され、道路７沿いには一般に側溝ブロック１ａ，１ａや中央分離帯９の縁石ブロック１ｂやアスファルト又はセメントコンクリート舗装縁１５等の沿道コンクリート構造物１が設けられている。
【０００８】
上記側溝ブロック１ａ，１ａの外側地面２には法尻がほぼ水平地面であり、法肩に向う上向（図１）又は下向（図２）の勾配地面２ａ，２ｂを有する。
【０００９】
上記中央分離帯９の中央地面はほぼ水平地面２’であって、これらの地面２，２に厚い樹脂マット（厚さ２０ｍｍ〜５０ｍｍ、縦方向の幅２〜３ｍ、横方向の長さ５〜１０ｍ、別注で２０ｍ〜５０ｍ）を直接敷設する。
【００１０】
上記マットは上述のように厚さが２０〜５０ｍｍ又はそれ以上に厚くマット状であってポリエステル等の合成樹脂長繊維６又はガラス長繊維６を不規則にマット状に堆積して多孔質の不織布を形成し、少なくともその表面にポリエチレン、合成ゴムのような熱可塑性又は熱硬化性合成樹脂６’を塗布し、さらに内部にも浸透させて防水性を附与する。又図６に示すように短又は長繊維マット６ａの上面にポリイミド樹脂等による耐熱性樹脂を塗布浸透させて耐水性・耐熱性及び防水加工を施したシート状不織布６”を張設し全体として防水不織布マット３を形成する。
【００１１】
このように形成した防水布織布マット３は耐久性、弾力性に富むもので、該マット３の下面３’及び少なくとも一方の側面３”に沿って段状切欠部４を形成する。
【００１２】
上記ほぼ水平地面２’は側溝ブロック１ａや縁石ブロック１ｂの上面から掘り下げられて低地を形成し、該低地からブロック１ａ又は１ｂの上面１”に上記切欠部４を接着剤５を介して接着固定し、又は上記マット３の上面からビス５’を打設して固定し、上記外側面１’及び上面１”は切欠部４に固定させる。
【００１３】
この状態において上記マット３の表面から地面２にアンカー４’を打設することにより該マット３を地面２に固定する。アンカー４’は図７に示すように上記マット３から外側地面（地盤）２にドリルで穴４”を穿孔し、穴内の繰粉を圧搾空気で排出し、その状態で接着剤包装袋をアンカー４’の穴底に押込み、アンカー４’の上端大径円弧形頭部４ａを叩打し、上記包装袋を破袋して接着剤５を流出し、アンカー４’と穴底部とを接着固定する。
【００１４】
上記マット３，３の敷設境界部分は図３（イ）（ロ）（ハ）（ニ）（ホ）（ヘ）図に示すようにＩ形又はＴ形の繊維強化プラスチック（ＧＲＰ）によるジョイント１０，１０’又は交互段３ａ，３ｂによる接続部を雌雄ボルト１１、ナット１１’による金具で接続され、又は図４（イ）（ロ）図に示す長繊維不織布又はＧＲＰ等によるテープ１２を接着剤５で接着固定して接続することができる。
【００１５】
又図５（イ）（ロ）（ハ）図に示すように模様１３を上記マット３に画いて道路の通行者を楽しませることができる。
【００１６】
尚図２中１４はＬ形縁石ブロック、１５はアスファルト又はセメントコンクリート舗装縁で上面及び側面を上記切欠部４で被覆し、かつ接着剤５で接着固定することができる。又１６は防音パネルである。
【００１７】
【発明の効果】
本発明は上述の工法によったので、道路沿いの沿道コンクリート構造物の外側（中央分離帯内を含む）に生える雑草を防草し得て人力や草刈機等による除草作業を行う必要がなく、法尻部分や中央分離帯の景観を損ねるおそれがないし、
雑草による道路の狭幅による圧迫感から解放され、景観を良好に保持し得る効果がある。
【００１８】
又法尻や中央分離帯にコンクリートブロックの敷設作業を行う必要がなく上記マット敷設作業を迅速に行い、かつ沿道コンクリート構造物と防草マットとの境界部分における防草を確実に行い得て快適な舗装道路となし得る効果がある。
【００１９】
さらに上記マットは防水性、耐水性であるため雑草の根の進入を防止し得るばかりでなく、耐熱性であるため安全性に富むものである。
【図面の簡単な説明】
【図１】本発明の沿道被覆工及び被覆マットを示す縦断正面図である。
【図２】図１の他の実施例の縦断正面図である。
【図３】（イ）図は被覆マットの平面図である。
（ロ）図は（イ）図Ａ−Ａ線による拡大縦断面図である。
（ハ）図は（ロ）図の他例の縦断面図である。
（ニ）（ホ）図は階段接続部の固定状態の縦断面図である。
（ヘ）図は接続用ボルトの平面図である。
（ト）図は螺合ボルト・ナットの正面図である。
【図４】（イ）図は接着テープによる接続状態の平面図である。
（ロ）図は（イ）図Ｂ−Ｂ線による縦断面図である。
【図５】（イ）（ロ）（ハ）図は上記マット表面に画いた模様を示す正面図である。
【図６】防水不織布マットの一例の縦断面図である。
【図７】アンカー叩打状態の縦断面図である。
【符号の説明】
１      沿道コンクリート構造物
１’    外側面
１”    上面
１ａ    側溝ブロック
１ｂ    縁石ブロック
２      外側地面
２’    水平面
２ａ，２ｂ  勾配地面
３      防水布織布マット
３’    下面
３”    側面
４      段状切欠部
４’    アンカー
５      接着剤
６      合成樹脂長繊維
【図１】
0003704518.tif 000002
【図２】
0003704518.tif 000003
【図３】
0003704518.tif 000004
【図４】
0003704518.tif 000005
【図５】
0003704518.tif 000006
【図６】
0003704518.tif 000007
【図７】
0003704518.tif 000008